Podtech/llm-jp-corpus-v4-ja_patent huggingface dataset:
(57)【要約】      （修正有）【課題】英国規格のランプシェードが装着固定出来かつＥ１７型電球が装着可能なランプソケットを提供する【解決手段】スリーブ１をずん胴の形にし、中にＥ１７ソケット５が入る構造としている。又、Ｅ１７ソケット５には脱落防止用の円盤状の突起Ｂと回転防止用の切欠Ｃを設けた。【選択図】図１
2006032306.tif 000002
【特許請求の範囲】
【請求項１】
英国規格のランプシェードが装着固定可能で、かつＥ１７型電球が装着可能なことを特徴とするランプソケット。
【請求項２】
前記において、ランプソケットの内側部分ソケット本体は、上部の外径が２３〜２２ｍｍで、下部に脱落防止用の円盤状の突起と、回転防止用の切欠を設けたことを特徴とする請求項１記載のランプソケット。
【請求項３】
前記において、ランプソケットの外側部分ソケットケースは、ソケット本体が収まり、かつ保持する構造であることを特徴とする請求項１記載のランプソケット。
【発明の詳細な説明】
【発明の詳細な説明】
【技術分野】
【０００１】  この発明は、ランプソケットに関し、特に英国規格のランプシェードを装着固定するためのＥ１７型電球用のランプソケットに関する。
【背景技術】
【０００２】  従来の、英国規格のランプシェードが装着固定が可能なランプソケット（バイオネット式ソケット）は、英国で広く使われているＢ２２型電球が装着出来るソケットに限られており、Ｅ１７型電球は装着出来ない。
また、従来の日本規格のランプソケットは日本で広く使われているＥ２２あるいはＥ１７型電球用のランプソケットは多種類市販されているが、英国規格のランプシェードを装着固定出来る構造にはなっていない。
【発明が解決しようとする課題】
【０００３】前記バイオネット式ソケットは、Ｂ２２型電球用であり、Ｂ２２型電球は我国では一般的には使われておらず、入手は比較的困難である。又、同ソケットが英国の電圧２４０Ｖ用であることから、高ワットの電球の場合、我国の電圧１００Ｖのもとで長時間点灯すると、電球端子部の焼け付きが発生することがあり、危険である。
【０００４】また、同ソケットはランプシェードをリング６を外した状態でスリーブ５に装着し、リング６で固定する構造で、スリーブ５のリング６がはまる部分の直径は約２５．５ｍｍである。外周部分にシェードを固定するリングがネジ式ではまるようにネジが切られていて、内径はおよそ２３ｍｍである。したがって、内側に入るＥ１７ソケットの外径はそれ以下の必要がある。因みに、わが国で流通しているＥ１７ソケットの外形は２５ｍｍが標準である。
【０００５】そこで、この発明は、英国規格のランプシェードが装着固定出来かつＥ１７型電球が装着可能なランプソケットを提供することを課題とする。
【課題を解決するための手段】
【０００６】前記課題を解決するため、第一発明に係るランプソケットは、英国規格のシェードが装着固定可能で、かつＥ１７型電球が装着可能なことを特徴とする。
【０００７】前記課題を解決するため、第二発明に係るランプソケットの内側部分ソケット本体は、上部の外径が２３〜２２ｍｍで、下部に脱落防止用の円盤状の突起と、回転防止用の切欠を設けたことを特徴とする。
【０００８】前記課題を解決するため、第三発明に係るランプソケットの外側部分ソケットケースは、ソケット本体が収まり、かつ保持する構造であることを特徴とする。
【発明の効果】
【０００９】第一発明、第二発明、第三発明に係るソケットは、英国規格のランプシェードが簡単に取付け出来、日本で容易に入手出来るＥ１７型電球が装着出来る。
【発明を実施するための最良の形態】
【００１０】この発明の一実施例を、添付図面の図１〜図３に基づいて説明する。図１は本発明に係るランプソケットの実施例の一部ソケットケースの斜視図である。本発明に係るランプソケットのソケットケースは、真ちゅうなどの金属製で、英国規格のシェードを装着するためのリング２及びネジ切がある筒状のスリーブ１とＥ１７ソケットを保持するベース４、及び１と４を連結するカップリング３からなる。【００１１】図３は従来の英国規格ランプソケットである。スリーブ６は、Ｂ２２型電球がはまるように上部がすぼまっており、電球が外れないようにするための切欠が設けられている。本発明に係るランプソケットのスリーブは図１の１に示すように、この部分をずん胴とし全体にネジ切を施した構造とし、内部に図３に示すＥ１７ソケットが入る構造とした。
図２はベース２の斜視図である。【００１２】図３は本発明に係るランプソケットの内側部分Ｅ１７ソケットの斜視図である。Ｅ１７ソケットは陶器ないしプラスチック製の本体とその内側にＥ１７用の端子部分からなる。図３には電気端子部分は省いている。上部はベース４の内側に収まるように外形が２３ｍｍ以下、下部に図２に示すベース４の形状に合わせて、円盤状の突起Ｂ及び切欠Ｃを設け、回転防止と脱落防止を図っている。突起Ａの部分に切欠Ｃがはまり、回転を防止している。円盤状の突起Ｂはカップリング３によって押えられ、脱落しない構造となっている。
「本発明の効果」【００１３】  以上説明した様に、本発明に係るランプソケットは、英国規格のランプシェードが装着可能で、かつＥ１７型電球が装着可能なランプソケットである。この結果、従来の英国規格ランプソケットでは、装着出来なかったＥ１７型電球が装着出来るという効果がある。
【他の実施形態】
【０００１４】図１の実施形態では、スリーブの長さはＥ１７ソケットがほぼ収まる長さであるが、Ｅ１７ソケットが一部露出する構造でも良い。
【図面の簡単な説明】
【０００１５】
【図１】この発明に係るランプソケットの一部ソケットケースの一実施形態を示す斜視図である。
【図２】この発明に係るランプソケットの一部ベースの一実施形態を示す斜視図である。
【図３】この発明に係るランプソケットの一部Ｅ１７ソケットの一実施形態を示す斜視図である。
【図４】従来のランプソケットの斜視図である。
【符号の説明】
【０００１６】１  スリーブ
２  リング
３  カップリング
４  ベース
５  Ｅ１７ソケット
Ａ  回転防止突起
Ｂ  円盤状突起
Ｃ  切欠
６  スリーブ
【図１】
2006032306.tif 000003
【図２】
2006032306.tif 000004
【図３】
2006032306.tif 000005
【図４】
2006032306.tif 000006
(57)【要約】【課題】本発明は書類の穴開け及びホッチキスの綴じる位置を定めるためのガイド用シートである。通常はガイド付き穴開パンチを使用するが、穴開パンチの所有者はガイドなし穴開パンチが主であり、ガイドなし穴開パンチの所有者にこのガイド用シートを提供する。また、ホッチキスの綴じ位置が定まらないため、定位置で綴じることができるためにこのガイド用シートを提供する。【手段】透き通ったシート（１）に、穴開パンチの基準位置を合わせる印（２）を設け、穴開け後、ファイリングした後、ムーズにシートを抜き取れるように切り欠き（３）を設ける。ホッチキスで書類を綴じるとき、位置が定まらないため、シート（１）の綴じ位置にガイド用の切り欠き（４）及び印（５）を設ける。【選択図】図１
2006198756.tif 000002
【特許請求の範囲】
【請求項１】
書類の穴開用パンチの位置を合わせるガイドシート（１）は書類の大きさと同じ大きさで、書類の向きや内容が確認できるように透き通っていて、穴開用パンチを合わせる位置に印（２）が設けてあり、書類に重ねた状態でファイリングしても取り外しが楽なように穴の位置に切り欠き（３）が設けてある。
【請求項２】
ホッチキスで書類を綴じる場合、その綴じ位置を定位置とするためにシートに印（５）が設けてあり、重ねた状態で綴じても、シートが取り外せるように切り欠き（４）が設けてある。
【発明の詳細な説明】
【発明の詳細な説明】
【発明に属する技術分野】
【０００１】  この発明は書類の穴開用パンチ及びホッチキスの位置合わせるものである。
【背景技術】
【０００２】  従来、書類の穴開用パンチの位置合わせは穴開用パンチに棒状のガイドがついており、それに書類を沿わせて位置を決めている。ガイドのついていない穴開用パンチの場合は書類に折り目を付け、その位置に合わせていた。ホッチキスの綴じ位置は感覚に任せている。
【発明が解決しようとする課題】
【０００３】  従来、ガイド付き穴開用パンチを所有している人は少なく、個人レベルで所有している穴開用パンチはガイドなしが主である。そのため、穴開用パンチの位置あわせには折り目などで印をつけてから位置を合わせることとなる。しかし、書類が多量である場合この印を付ける作業が手間となる。また書類に折り目がつき、書類としては好ましくない状態となる。ガイド付き穴開パンチの場合は、書類の大きさにガイドを調整する必要があり、そのガイドも書類の端を合わせるものである。書類を穴開用パンチに押しつけると同時に端を合わせること、すなわち２方向に書類を押しつけることが難しく、穴がずれることも多々ある。ホッチキスの位置合わせは、感覚で行うため個人差があり、綴じる度に位置が定まらない。
本発明は書類と同じ大きさのシートを最上に重ね、書類を揃えて印に位置を合わせるだけで、以上の問題点を解決するものである。
【課題を解決する手段】
【０００４】  穴開用パンチ及びホッチキスを使用する場合、必ず書類を揃える行動をとる。最上に重ねて書類揃えるためシートは書類と同じ大きさとし、書類の向きや内容が確認できるように透き通ったシート（１）とする。シートの大きさは各サイズに使用できるように、各サイズ設ける。穴開用パンチの位置合わせ用の印（２）を縦用と横用に設け、重ねた状態でファイリングしてもシートだけスムーズにはずせるように、穴の位置に切り欠き（３）を縦用と横用に設ける。
ホッチキスで書類を綴じる時に、位置が定まるガイドとして印（５）を縦用と横用に設ける。重ねた状態でホッチキスを使用するため、シートだけはずせるように切り欠き（４）を縦用と横用に設ける。
【発明を実施するための最良の形態】
【０００５】以下、本発明の実施の形態を説明する。
（イ）ガイド用シートは透き通ったシートとする。
（ロ）シートの大きさは、各書類の大きさごとに用意する。
（ハ）穴開用パンチの位置を合わせるための印を、縦用と横用に設ける。
（ニ）穴の位置に切り欠きを縦用と横用に設ける。
（ホ）ホッチキスによる綴じ位置に切り欠き及び印を縦用と横用に設ける。
本発明は以上の構成よりなる。
本発明を使用する場合は、穴を開けようとする書類の最上にこのシート（１）を重ね、書類を揃えて、穴開用パンチの基準にシートの印（２）を合わせ、穴を開ける。その後、重ねた状態でファイルに綴じ、シートだけ抜く。書類が多量の場合はこの作業を繰り返す。書類をホッチキスで綴じる場合は、綴じようとする書類の最上にこのシート（１）を重ね、ホッチキス用の切り欠き部（４）の印（５）にホチキスを合わせて綴じる。
【発明の効果】
【０００６】  ガイドなし穴開パンチを所有のものは、新たにガイド付き穴開パンチを入手する必要がなく、このシートで穴開け及びホッチキスの位置を定めることができる。折り目をつけることや、印を付けることなく、最上に重ね、通常の作業をするだけでで、穴開け位置を定めることができる。ホッチキスによる綴じ位置も、書類の最上に重ね、通常の作業をするだけで綴じ位置を定めることができる。
【図面の簡単な説明】
【図１】本発明の斜視図
【図２】本発明の平面図
【符号の説明】
（１）シート、（２）印、（３）切り欠き、（４）切り欠き、（５）印
【図１】
2006198756.tif 000003
【図２】
2006198756.tif 000004
(57)【要約】【課題】  歯茎をマッサージすることによって、歯周病の予防と改善効果のある歯茎マッサージ具を提供する。【解決手段】  把手部と、該把手部上端から分岐した支持部と、各支持部の先端前面に設けられ接触部が滑らかな湾曲形状となった作用部より構成され、前記各作用部は上下歯茎にそれぞれ同時接触する位置に配置されたものであることを特徴とし、全体が耐劣性に優れた樹脂素材よりなる歯茎マッサージ具。【選択図】  図１
2006198051.tif 000002
【特許請求の範囲】
【請求項１】
把手部と、該把手部上端から分岐した支持部と、各支持部の先端前面に設けられ接触
部が滑らかな湾曲形状となった作用部より構成され、前記各作用部は上下歯茎にそれぞ
れ同時接触する位置に配置されたものであることを特徴とする歯茎マッサージ具。
【請求項２】
各作用部は複数の接触部を形成するように湾曲凹凸形状となったものであることを特
徴とする請求項１記載の歯茎マッサージ具。
【請求項３】
全体が耐劣性に優れた樹脂素材よりなるものであることを特徴とする請求項１又は２
記載の歯茎マッサージ具。
【発明の詳細な説明】
【技術分野】
【０００１】
本発明は、歯茎をマッサージすることによって、歯周病の予防と改善効果のある歯茎
マッサージ具に関するものである。
【背景技術】
【０００２】
一般的に歯茎のマッサージといえば、指や歯ブラシによってマッサージすることが行
われている。
【０００３】
公知されている歯茎マッサージ具でいえば、例えば、作用部が先の尖った形状で軟質
部材を用いているもの（特許文献１参照）や、作用部に絹繊維を用いているもの（特許
文献２参照）や、セラミック体を用いているもの（特許文献３参照）がある。
【０００４】
【特許文献１】特開平５−９９８５４号公報
【特許文献２】特開平７−２７５３０８号公報
【特許文献３】特開平７−２７５３０８号公報
【発明の開示】
【発明が解決しようとする課題】
【０００５】
指や歯ブラシで歯茎マッサージを行う場合、爪や歯ブラシ先端によって歯茎を傷付け
る恐れがあり、指によるマッサージにおいては衛生面の問題や口内の奥部をマッサージ
するときのやり難さが生じる。
【０００６】
特許文献１、特許文献２においては、先の尖った形状であったり、歯茎に対しての摩
擦が高い軟質部材や絹繊維が使用されていることで、歯茎を傷付け易く、また歯周付近
の歯茎マッサージのみしか使用できない。
【０００７】
特許文献３においては、落下時の破損や欠けが生じた場合、欠損部で歯茎を傷付ける
恐れがある。
【０００８】
本発明は、このような従来の問題を解決しようとするもので、歯茎を傷付けることな
く、効率良く歯茎全体を安定良くマッサージできることを目的とするものである。
【課題を解決するための手段】
【０００９】
把手部と、該把手部上端から分岐した支持部を有し、各支持部の先端前面に接触部が
滑らかな湾曲形状となった作用部を設ける。そして、前記各作用部は複数の接触部を形
成するように湾曲凹凸形状となっており、上下歯茎にそれぞれ同時接触する位置に配置
されたものである。
また、全体が耐劣性に優れた樹脂素材よりなるものである。
以上を特徴とする歯茎マッサージ具である。
【発明の効果】
【００１０】
本発明は、上下歯茎にそれぞれ同時接触するため、マッサージ時の力の加える方向が
特定されるため安定よく行える。
また、把手部上端から分岐した支持部を有し、作用部が複数の接触部を形成するように
湾曲凹凸形状となったものにおいては、マッサージ時の力が一点に集中することなく分
散されるようになっている。
そして、全体が耐劣性に優れた樹脂素材よりなるものであるため歯茎を傷つけない。
【発明を実施するための最良の形態】
【００１１】
以下、本発明の実施の形態を説明する。
持ちやすい形状となった把手部（１）と該把手部（１）の上端から分岐した左右対称
形状の支持部（２）と各支持部の先端に形成された作用部（３）を設ける。
支持部（２）においては、図２及び図３に示すようにマッサージの際、作用部（３）
のみが歯茎に接すると共に、マッサージ時の力を作用部（３）に伝わるように前方へ
湾曲した形状となっている。
作用部（３）においては、図４から図６に示すようにマッサージ時の力が一点に集中
しないように複数の接触部を形成するように湾曲凹凸形状となっている。
樹脂素材については、樹脂素材については、既存の歯ブラシに使用されているポリプ
ロピレンや、その他ＡＢＳ、ポリカーボネート等の樹脂を用いると良い。
本発明は、以上の構成よりなっている。
本発明を使用するときは、図６に示すように作用部（３）が上下歯茎にそれぞれ同時
接触するように配置し、円を描くようにマッサージを行う。
把手部（１）の上端から分岐した支持部（２）を有していることから、力の加える方
向が特定されるため安定したマッサージを行うことが出来る。
主に作用部（３）の凸部が歯茎に作用するため、歯茎全体を効率良くマッサージする
ことができる。
【図面の簡単な説明】
【００１２】
【図１】本発明の作用部に対しての正面図
【図２】図１に対しての左側面図
【図３】図１に対しての上面図
【図４】図２の作用部の拡大図
【図５】図３の作用部の拡大図
【図６】本発明の使用状態を示す図
【符号の説明】
【００１３】
１  把手部
２  支持部
３  作用部
【図１】
2006198051.tif 000003
【図２】
2006198051.tif 000004
【図３】
2006198051.tif 000005
【図４】
2006198051.tif 000006
【図５】
2006198051.tif 000007
【図６】
2006198051.tif 000008
(57)【要約】【課題】  組立の際にビス等の留め具をなくすことができ、しかも、搬送の際にはコンパクトにすることができる折り畳み自在の棚を提供する。【解決手段】  対向する棚板を回動自在のロッドにより支持し、前記対向する棚板が互いに離間した状態で固定できるように、前記各棚板間に固定部材を挿通することを特徴とする。【選択図】  図１
2006198038.tif 000002
【特許請求の範囲】
【請求項１】
対向する棚板を回動自在のロッドにより支持し、前記対向する棚板が互いに離間した状態で固定できるように、前記各棚板間に固定部材を挿通することを特徴とする折り畳み自在の棚。
【請求項２】
前記各棚板及び前記固定部材の少なくとも１つは、軽合金から構成されることを特徴とする請求項１に記載の折り畳み自在の棚。
【発明の詳細な説明】
【技術分野】
【０００１】
本発明は、折り畳み自在の棚に関する。
【背景技術】
【０００２】
従来、組み立てることができる棚は、搬送の際の容積が少なくなるように分解した状態で梱包され販売されている。
しかしながら、梱包から出して組み立てようとすると、ビス等の留め具の点数が多く、説明書を見ながら組み立てる必要があり、煩雑であった。また、引っ越しの際には、分解して更に組み立てる作業が発生することがあり、ビス等の留め具を紛失してしまうことがあった。
【発明の開示】
【発明が解決しようとする課題】
【０００３】
そこで、本発明は、組立の際にビス等の留め具をなくすことができ、しかも、搬送の際にはコンパクトにすることができる折り畳み自在の棚を提供することを目的とする。
【課題を解決するための手段】
【０００４】
上記課題を解決すべく、本発明者等は鋭意検討の結果次の通り解決手段を見いだした。
即ち、本発明の折り畳み自在の棚は、請求項１に記載の通り、対向する棚板を回動自在のロッドにより支持し、前記対向する棚板が互いに離間した状態で固定できるように、前記各棚板間に固定部材を挿通することを特徴とする。
また、請求項２に記載の折り畳み自在の棚は、請求項１に記載の折り畳み自在の棚において、前記各棚板及び前記固定部材の少なくとも１つは、軽合金から構成されることを特徴とする。
【発明を実施するための最良の形態】
【０００５】
次に、本発明を実施するための最良の形態について図面を参照して説明する。
図１に示すものは、本発明の折り畳み自在の棚１の組立状態の説明図（（ａ）正面図（ｂ）側面図）である。各棚板２は、ほぼ同寸法に長方形状に構成され、組み立てた後に、各棚板２が左右に交互に延出するようにして、互いにロッド３により支持されている。
前記ロッド３は、組立・折り畳み時に、対向する棚板２同士が離間するように、各棚板２の正面側と背面側とを回動自在に支持している。尚、本実施の形態では、ロッド３は、折り畳み自在の棚１の各段毎に左回り・右回り・左回りというように回転方向を交互にして、図２に示す折り畳み状態がコンパクトになるようにしている。
上記した棚板２とロッド３だけの状態では、図２に示すように折り畳まれた状態となる。本発明では、組立状態において、各棚板２間の離間状態を保持するために、各棚板２に挿通孔４を設け、各挿通孔４に固定部材５を挿通するようにしている。尚、図示するものでは、固定部材５は、棒状に形成して、その上端部５ａを、円板形状に形成している。そして、この円板の外径を、一番上側の棚板２に設けた挿通孔４の内径よりも大きくして、固定部材５が一番上側の棚板２を通過しないようにしている。
【０００６】
上記構成により、図２に示す折り畳み状態の折り畳み自在の棚１の上側の棚板２を上方に持ち上げることにより、図３に示すように、ロッド３が回動して、各棚板２が離間する。このとき、各棚板２に設けられた挿通孔４に固定部材５を挿通して各棚板２間の離間状態にて固定して、折り畳み自在の棚１の組立が完成する。
【０００７】
以上のようにして、本発明の折り畳み自在の棚１は、組立時にビス等の留め具を用いなくても、上側の棚板２を持ち上げながら、固定部材５を挿通するだけで、折り畳み自在の棚１を組み立てることができるので、非常に作業性が良いものとなる。
尚、本実施の形態では、１本の固定部材５を使用したが、複数の固定部材を用いることも可能である。また、固定部材５の形状及び挿通孔４の形状は、円形状のものに制限されるものではなく、矩形状等任意に選択することができる。
また、本発明の棚板２、棒材５、ロッド３等を構成する材料についても特に制限はないが、例えば、アルミニウム等の軽合金や木等を使用することができるが、軽量化の観点からアルミニウム等の軽合金を使用することが好ましい。
【図面の簡単な説明】
【０００８】
【図１】本発明の一実施の形態の組立状態の説明図（（ａ）正面図（ｂ）側面図）
【図２】本発明の一実施の形態の折り畳み状態を説明するための正面図
【図３】本発明の一実施の形態の組立過程を説明するための正面図
【符号の説明】
【０００９】
１    折り畳み自在の棚
２    棚板
３    ロッド
４    挿通孔
５    固定部材
【図１】
2006198038.tif 000003
【図２】
2006198038.tif 000004
【図３】
2006198038.tif 000005
(57)【要約】      （修正有）【課題】寝返りを打つとおこる布団のズレや掛け布団と敷き布団の間から入ってくる寒い風を防止する掛け布団カバーと敷き布団カバーを提供する【解決手段】掛け布団カバー本体１に掛け布団カバー装着用ファスナー２をぬい付けそして敷き布団カバー本体３にも敷き布団カバー装着用ファスナーをぬい付けて両サイドをしめることのできる掛け布団カバーと敷き布団カバーとしたことを特微とする【選択図】図１
2006198382.tif 000002
【特許請求の範囲】
【請求項１】
掛け布団と敷き布団の両サイドが取り付け可能な掛け布団カバーと敷き布団カバー
【発明の詳細な説明】
【技術分野】
【０００１】この発明は敷き布団カバーと掛け布団カバーの両サイドが装着可能な敷き布団カバーと掛け布団カバーに関するものである
［背景技術］【０００２】従来、寝がえりをするさいにおこるズレ防止機能がなかった
［発明の開示］
［発明が解決しようとする課題］【０００３】これはつぎのような問題点があった
寝返りを打つと布団のズレにより、寒くて何度も起きて直す必要があった
本発明は、以上のような欠点をなくすためになされたものである
［課題を解決するための手段］【０００４】敷き布団カバーと掛け布団カバーの両サイドをファスナーで装着する
本発明は、以上のような構成よりなる敷き布団カバー掛け布団カバーである
［発明の効果］【０００５】敷き布団カバーと掛け布団カバーの両サイドをファスナーで装着する事により寝返りを打つたびにズレていた布団を直す事なく寝むる事ができる又、両サイドから入ってくる布団のすきまの風を防止する事ができ快適に寝むる事ができる
なお、ファスナーの代わりにマジックテープを装着しても良い
［発明を実施するための最良の形態］【０００６】以下、本発明の実施の形態について説明する
［図１］の掛け布団カバー本体〔１〕に掛け布団カバー装着用ファスナー〔２〕をぬい付けるそして敷き布団カバー本体〔３〕に敷き布団カバー装着用ファスナー〔４〕をぬい付ける
本発明は以上のような構造でこれを使用する時は掛け布団カバー装着用ファスナー〔２〕と敷き布団カバー装着用ファスナー〔４〕をしめる事により寝返りを打つさいにおこるズレや布団との間に入る寒い風を防止する事ができ快適に寝むる事ができる
【図面の簡単な説明】
【０００７】［図１］
本発明の斜視図である
［図２］
本発明の側面図である
【符号説明】
【０００８】１  掛け布団カバー本体  ２  掛け布団カバー装着用ファスナー
３  敷き布団カバー本体  ４  敷き布団カバー装着用ファスナー
５  枕
【図１】
2006198382.tif 000003
【図２】
2006198382.tif 000004
(57)【要約】      （修正有）【課題】ねている最中に寝返りをうってもふとんがずれたり、冷気が足元から侵入することを防ぐカバーを提供する。【解決手段】基部布３に側面布２をぬいつけ、開閉用ファスナー１をとりつけ、しきぶとん５とかけぶとん４の足元を袋状に包むカバーとした。【選択図】図１
2006198383.tif 000002
【特許請求の範囲】
【請求項１】
かけぶとんとしきぶとんの足元を袋状に包むカバー
【発明の詳細な説明】
【技術分野】
【０００１】  この発明は、しきぶとんとかけぶとんの足元を袋状に包むカバーに関するものである。
〔背景技術〕【０００２】  従来、ふとんには固定装置もなく足元から冷気が侵入することを防ぐ装置もなかった。
〔発明の開示〕
〔発明が解決しようとする課題〕【０００３】  従来はつぎのような問題点があった。
眠むっている最中に寝返りを打つとふとんがずれ、とくに足元から冷気が侵入し、安眠をさまたげられることが多かった。
本発明は以上のような欠点をなくすためになされたものである。
〔課題を解決するための手段〕【０００４】しきぶとんとかけぶとんの足元を布で袋状に包むカバーをとりつける。
以上の構成よりなるものである。
〔発明の効果〕【０００５】しきぶとんとかけぶとんの足元を袋状に包んでいるので、寝返りを打っても、そのことで冷気が侵入してくることもなく、
また、寝相が悪くてもふとんがずれることもなく固定されているため、快適にねむることができる。
〔発明を実施するための最良の形態〕【０００６】以下、本発明の実施例について説明する。
〔図１〕の基部布〔３〕に、側面布〔２〕をぬいつけ、開閉用ファスナーをとりつける
本発明は以上のような構造で、これを使用するときは、開閉用ファスナーをあけ、本体下部の上にしきぶとんをのせ、その上にかけぶとんをかけ、本体上部を上にのせ、開閉用ファスナーをしめる。そうすることによって、寝返時も冷気の侵入を防ぎ、かけぶとんの足元部分のずれを防止することができる。
【図面の簡単な説明】
【０００７】〔図１〕
本発明の斜視図である。
〔図２〕
本発明の側面図である。
〔図３〕
本発明の平面図である。
【符号の説明】
【０００８】１、開閉用ファスナー  ２、側面布  ３、基部布  ４、かけぶとん
５、しきぶとん  ６、枕
【図１】
2006198383.tif 000003
【図２】
2006198383.tif 000004
【図３】
2006198383.tif 000005
(57)【要約】【課題】  顔のパックをする際に、パックの上にラップが使用されている。しかし、呼吸のため口と鼻の部分を切り抜く必要があるが、ラップはしわになりやすいため切りにくく、適切な部分に穴を開けることが困難であった。また、穴が大きすぎるとラップの効果が軽減してしまうこととなった。さらに、パックをしている時はパックやラップが落ちないように、上を向いている必要があり、パックをしている間の時間を有効に使えなかった。【解決手段】  楕円形をした、しわになりにくくうすいビニール製のものに、目・口・耳の部分を切り抜いて、鼻の部分に切り込みを設ける。また、耳の部分が切り抜かれていることで、耳にかけることができ、パックが落ちないようにした。【選択図】  図１
2006198376.tif 000002
【特許請求の範囲】
【請求項１】
楕円形の形をしたビニール製のものに、目・口・耳の部分を切り抜き、鼻の部分に切り込みが入っていることを特徴とするパックシート。
【請求項２】
前記の耳の部分の穴は、耳にかけることで、シートが落ちるのを防ぐことができることを特徴とする請求項１記載のパックシート。
【請求項３】
パックの効果をより増強することができることを特徴とする請求項１，２記載のパックシート。
【発明の詳細な説明】
【技術分野】
【０００１】  この発明は、顔をパックする際に使用する、ラップの代用に関する。
【背景技術】
【０００２】  従来、顔のパックをする際に、体表面からの熱放散とパックからの美容液の蒸発を防ぐことで、毛穴を広げ美容液をしみこませやすくするために、パックの上にラップをかけるという方法が使われている。また、毛穴を開き循環をよくするために、パックの上にホットタオルも使用したりするが、その際ラップはタオルへの汚れ（色のついたパックなどの汚れ）を防ぐ効果もあった。
【発明の開示】
【発明が解決しようとする課題】
【０００３】  しかしながら、以上の技術によれば、ラップ使用時、呼吸のため口と鼻の部分を切り抜く必要があるが、ラップはしわになりやすいため切りにくく、適切な部分を切り抜くことが困難であった。また、穴が大きすぎるとラップの効果が軽減してしまうこととなった。さらに、パックをしている時はパックやラップが落ちないように、上を向いている必要があり、パックをしている間の時間を有効に使えなかった。
そこで、この発明は、目・口などの部分を切り抜き簡単にパックの上にのせることができ、ラップの効果を最大限に活かし、パック中の時間を有効にできるパックシートを提供することを課題とする。
【課題を解決するための手段】
【０００４】  以上の課題を解決するために、第一発明は、楕円形の形に切った、しわになりにくくうすいビニール製のものに、目・口・耳の部分を切り抜き、鼻の部分に切り込みが入っていることを特徴とするパックシートである。
また、第二発明は、パックシートが下を向いても落ちないように、耳にかけることができることを特徴とするパックシートである。
【発明の効果】
【０００５】  第一発明によれば、楕円形の形をしたビニール製のものを使うことにより、パックの上にパックシートを簡単にのせる事ができ、目・鼻・口・耳の的確な場所に切り抜き、切り込みが入っているため、呼吸が楽に行えると同時に不必要な切り抜きをなくすことができ、パック効果の増強になる。
また、第二発明によれば、パックシートに耳かけを作ったことで、顔から落ちることを防ぎ、下を向くこともできるため、パックをしながら時間を有効に使えるようになる。さらに、耳にかけることで、シートに張りができ、肌へのパックの密着が増しパック効果の増強にもなる。
【発明を実施するための最良の形態】
【０００６】  この発明の一実施形態を、図１に示す。
パックシートの本体１は楕円形をしたしわになりにくくうすいビニール製のものであり、この本体１の中には、目の部分２、口の部分３、耳の部分５に切り抜きがされている。４は鼻の部分で、切り込みが入っている。
【図面の簡単な説明】
【０００７】
【図１】この発明の一実施形態を示す斜視図である。
【符号の説明】
【０００８】１、パックシートの本体    ２、切り抜き（目の部分）    ３、切り抜き（口の部分）
４、切り込み（鼻の部分）    ５、切り抜き（耳の部分）
【図１】
2006198376.tif 000003
(57)【要約】      （修正有）【課題】一般家庭は勿論の事、病院や施設等を利用する人の履物、高齢者や身体的障害者の方の履物を揃えるといった動作的リスクを軽減する。【解決手段】回転式靴脱ぎ台で、単体の大きさは３５ｃｍ四方形で高さ５ｃｍの機構の中に直径２５ｃｍ〜３０ｃｍを基本に円形状の回転装置を玄関入口の上がり框（カマチ）又はトイレ入口などに設置。自身の体重及び動作などによってセンサーが反応して履物を脱ぎ終わった時点で回転台が１８０度回転して常に履物が進行方向に向きが変わることを特徴とした回転式靴脱ぎ台装置である。【選択図】図１
2006198380.tif 000002
【特許請求の範囲】
【請求項１】
回転式靴脱ぎ台で、単体の大きさは３５ｃｍ四方形で高さ５ｃｍの機構の中に直径２５ｃｍ〜３０ｃｍを基本に円形状の回転装置を玄関入口の上り框（カマチ）又はトイレ入口などに設置。自身の体重及び動作などによってセンサーが反応して履物を脱ぎ終わった時点で回転台が１８０度回転して常に履物が進行方向に向きが変わることを特徴とした回転式靴脱ぎ台装置である。
【発明の詳細な説明】
【発明の詳細な説明】
【０００１】  本発明は高齢化社会で介護・看護を有する高齢者、身体障害者の履物を自動的に進行方向に揃えることで身体的負担を軽減することが出来る。
【発明に属する技術分野】
【０００２】  脱ぎ終わった段階で電動又はバイブレーター、スプリングなどの動力を利用して脱ぎ終わった履物が１８０度回転し常に履物が進行方向に揃う。
回転台には滑り止めと、非常時や夜間でも見やすいように夜行塗料などを塗布した。
【背景技術】
【０００３】  従来の靴脱ぎ台は外に関しては石、家屋の内では木製やプラスチックの框などが基本であったが、いずれも固定されていたので手動で履物を移動したり、向きを変えるといた動作は高齢者や身体的障害者には不自由である。一般的には手摺りや框を低くするような方法でこれらの動作を補っていたが、特に病院施設等のトイレの履物、ベットの乗り降りで履物を履き揃えるといった動作はまだまだ身体的に困難といえる
【発明が解決しようとする課題】
【０００４】  本発明で解決しようとする回転式靴脱ぎ台は一般家庭は勿論の事、病院や施設等を利用する人の履物、高齢者や身体的障害者の方の履物を揃えるといった動作的リスクを軽減することである。
【課題を解決するための手段】
【０００５】  樹脂、軽金属、木製品、塗料などで構成される。▲１▼軽金属▲２▼電動モーター▲３▼電気センサースイッチ▲４▼復元スプリング▲５▼滑り止め▲６▼表面樹脂マットなどで構成されている施設の規模に応じて単体を複数連結することによって設置可能である。
【発明を実施するための最良の形態】
【０００６】  本発明の回転式靴脱ぎ台は一般家庭では玄関の上り框（カマチ）や便所などで脱ぐ履物の進行方向に対して各単体を一台づつ設置。旅館やホテル、病院や施設等の多くの利用者がいる場所では、単体を連結して設置し利用する事が可能である。
【発明の効果】
【０００７】  本発明を利用することで、履物を履く・脱ぎ揃えるといった動作的負担は軽減される。また、手摺り等設置困難な場所でも安易に設置できる。衛生面から考えても直接履物に手を触れることが無いので非常に衛生的である。
【図面の簡単な説明】
【図１】
2006198380.tif 000003
【図２】
2006198380.tif 000004
【手続補正書】
【提出日】平成17年5月31日(2005.5.31)
【手続補正１】
【補正対象書類名】明細書
【補正対象項目名】全文
【補正方法】変更
【補正の内容】
【発明の詳細な説明】
【技術分野】
【０００１】  脱ぎ終わった段階で電動又はバイブレーター、スプリングなどの動力を利用して脱ぎ終わった履物が１８０度回転し常に履物が進行方向に揃う。
回転台には滑り止めと、非常時や夜間でも見やすいように夜行塗料などを塗布した。
【背景技術】
【０００２】  従来の靴脱ぎ台は外に関しては石、家屋の内では木製やプラスチックの框などが基本であったが、いずれも固定されていたので手動で履物を移動したり、向きを変えるといた動作は高齢者や身体的障害者には不自由である。一般的には手摺りや框を低くするような方法でこれらの動作を補っていたが、特に病院施設等のトイレの履物、ベットの乗り降りで履物を履き揃えるといった動作はまたまだ身体的に困難といえる
【発明が解決しようとする課題】
【０００３】  本発明で解決しようとする回転式靴脱ぎ台は一般家庭は勿論の事、病院や施設等を利用する人の履物、高齢者や身体的障害者の方の履物を揃えるといった動作的リスクを軽減することである。
【課題を解決するための手段】
【０００４】  樹脂、軽金属、木製品、塗料などで構成される。▲１▼軽金属▲２▼電動モーター▲３▼電気センサースイッチ▲４▼復元スプリング▲５▼滑り止め▲６▼表面樹脂マットなどで構成されている施設の規模に応じて単体を複数連結することによって設置可能である。
【発明を実施するための最良の形態】
【０００５】  本発明の回転式靴脱ぎ台は一般家庭では玄関の上り框（カマチ）や便所などで脱ぐ履物の進行方向に対して各単体を一台づつ設置。旅館やホテル、病院や施設等の多くの利用者がいる場所では、単体を連結して設置し利用する事が可能である。
【発明の効果】
【０００６】  本発明を利用することで、履物を履く・脱ぎ揃えるといった動作的負担は軽減される。また、手摺り等設置困難な場所でも安易に設置できる。衛生面から考えても直接履物に手を触れることが無いので非常に衛生的である。
【図面の簡単な説明】
【０００７】
【図１】  平面図
【図２】  断面図
【符号の説明】
【０００８】
【図１】
単体回転台の平面図
▲１▼滑り止＝表面には樹脂系人工芝マット類
▲２▼単体の基礎台＝木製品・塩化ビニール類
▲３▼回転台＝自身の体重又は感知センサーで１８０度回転する
▲４▼感知センサー＝履き終わった時点で回転するセンサー
【０００９】
【図２】
側面の断面図
▲１▼滑り止＝表面には樹脂系人工芝マット類
▲２▼単体の基礎台＝木製品・塩化ビニール類
▲３▼回転台＝自身の体重又は感知センサーで１８０度回転する
▲４▼電動モーター＝１８０度回転装置
▲５▼スプリング＝感知センサー切放す復元装置
▲６▼電流＝接続スイッチ・感知スイッチ
(57)【要約】【課題】従来の油引きは何度もそれを使用するために、古い油の黒ずみが残った。また、調理したものも黒ずみ固形化した。それが鉄板に付着して口に入ることが多く、非常に不衛生であった。【解決手段】調理をするときには常に新しい油を使用することが、衛生上必要であった。そのために、油を引く部分と手に持つ部分を分けて使い捨てにする必要があった。本発明により、調理がきれいにできて、かつ、不衛生な点が解消されたのである。【選択図】図１
2006198375.tif 000002
【特許請求の範囲】
【請求項１】
軸（１）と軸の先端部（４）に油を吸収させるために設けた袋状のもの（２）を取り付けた使い捨て油引き。
【請求項２】
吸湿性があり、柔らかく、かつ、強度のある２枚の円形の布（７）に綿（６）を中にはさみ、その布の周りを細目で弾力性のあるゴム（３）で蛇腹のように縫って取り付けた請求項１記載の使い捨て油引き。
【発明の詳細な説明】
【技術分野】
【０００１】  本発明は、一般家庭で使用する油を引くための道具に関するものである。
【背景技術】
【０００２】  従来の製品は、油を引く部分が本体と密着しており、完全な使い捨てではなかった。そのために、何度も使うことになり衛生上の面で問題点があった。【０００３】  従来、発明された製品の中には装着の際に手間がかかったりする問題点があった。【０００４】
【特許文献１】  特許公開平１０−１２７５０５
【発明の開示】
【発明が解決しようとしている課題】
【０００５】  従来の油引きは、何度もそれを使うために、鉄板と接触する部分が黒ずみ、作ったたこ焼きやお好み焼き、鉄板焼きに黒い斑点がよく見受けられた。そして、たこ焼きやお好み焼き、鉄板焼きに付着した固形の黒ずみが口に入ったり、何週間も前の油が付着し、それが口に入るという点で非常に不衛生であった。本発明は、これらの欠点を解決するために、使い捨て製品として発明されたものである。
【０００６】  油引きを使用するときに、手に油が付いたり、また、装着の際、手間がかかることがあった。それらの問題点を解決するために発明されたものである。
【課題を解決するための手段】
【０００７】  油が付く袋状のもの（２）は古い油や固形の黒ずみがつかないようにするために使い捨てにする必要があった。
【０００８】  使い捨てにするために、油引きの軸（１）と油が付く袋状のもの（２）とは切り離された別々のものとする。
【０００９】  また、使用するときに油が手に付かないようにするために、油よけ（５）を取り付ける。
【００１０】  鉄板部分と接触する袋状のもの（２）の材質は柔らかく、吸湿性があり、強度を持たせるために綿（６）とそれを包む布（７）を使用し、また、袋状にするために周りをゴム（３）で縫って取り付ける。
【発明の効果】
本発明を使用することによって、古い油や黒ずみが、鉄板に付着することなく衛生的な調理ができる。また、使い捨て部分の取付や取り外しも非常に簡単である。さらに、これを使って鉄板そのものの汚れも取ることができる。
【発明を実施するための最良の形態】
【００１１】  以下、本発明の実施の形態について説明する。２枚の布（７）の間に布（７）より直径がやや小さめの綿（６）をはさみ、２枚の布をゴムで蛇腹の形になるように縫い付けて袋状のもの（２）を作る。【００１２】  作った袋状のもの（２）を軸の先端部（４）に被せるようにして固定する。【００１３】軸（１）および軸の先端部（４）の材質を耐熱プラスチックにすると美しく衛生的である。【００１４】軸の先端部（４）の形状を袋状の形にするとたこ焼き器の油引きができる。また、大きめの緩やかな曲線にするとフライパンや鉄板の油引きができる。【００１５】  フライパンや鉄板の油引き用にするためには、軸（１）と油よけ（５）のなす角を９０°より少な目にして傾ける。
【図面の簡単な説明】
【００１５】
【図１】本発明の斜視図
【図２】本発明の分解斜視図
【図３】袋状のものの形成前の部品図
【図４】袋状のものの部分断面図
【図５】本発明の使用状態を示す斜視図１
【図６】本発明の使用状態を示す斜視図２
【符号の説明】
【００１６】１  軸
２  袋状のもの
３  ゴム
４  軸の先端部
５  油よけ
６  綿
７  布
【図１】
2006198375.tif 000003
【図２】
2006198375.tif 000004
【図３】
2006198375.tif 000005
【図４】
2006198375.tif 000006
【図５】
2006198375.tif 000007
【図６】
2006198375.tif 000008
(57)【要約】【課題】  従来のベビー服はオムツ交換が簡単に行えるように下半身の股の部分にスナップボタンなどで細工を施したものがあった。しかし、上下一体化している為、オムツ交換時に下半身部分を汚してしまうと着替えが必要となり外出時には荷物ががさばるという問題点があった。オムツの中の確認も前部分からしか出来ないので面倒であった。【解決手段】ベビー服の上下を切り離し、上半身部と下半身部にベビー服を分ける。上下のつなぎ目の部分にスナップボタン又はファスナーを施すことにより、上下の接合を行うことで上下取外しが可能となる。結果、前後どちらからでもオムツの中の確認が可能となる。オムツ交換時に下半身部分を汚してしまっても、下半身部分だけの替えだけで済む。【選択図】図２
2006198373.tif 000002
【特許請求の範囲】
【請求項１】
ベビー服を製作する過程で上下を分けて作る。上半身部と下半身部の接合部となる場所にスナップボタンやファスナーを施して取り外し自在の一着のベビー服として完成させる。そうすることにより、上下取外し交換可能ベビー服となる。
【発明の詳細な説明】
【技術分野】
【０００１】本発明はオムツ交換時の悩みを解決するものに関する。
【背景技術】
【０００２】  従来のベビー服にはオムツを能率よく交換できるように股の部分にスナップボタンなどを施して見開きになるものがある。
【発明の開示】
【発明が解決しようとする課題】
【０００３】  従来のベビー服ではオムツ交換時に股の部分などを汚してしまうと着替えを必要とするので外出時には着替用の服を何着か用意する必要があり荷物ががさばって移動が困難であった。【０００４】  また、前部分だけしか開かず、オムツの中の確認も面倒であった。
【課題を解決するための手段】
【０００５】  従来の機能も生かしつつ、ベビー服を上下取外し出来るようにスナップボタンやファスナーなどを用いて細工を施す。
【発明の効果】
【０００６】  上下取外し可能ということで、オムツ交換時などに汚れてしまった下半身部分のみの替えが可能になるので外出時の荷物も減る。【０００７】  また、後側からも開くようになる事でどちら側からでもオムツの中を確認出来るようになり効率が良い。【０００８】  上下の組み合わせも楽しめたり、ベビー服を一着購入するコストと、汚れ替えをする事で古くなってしまった下半身の替え部分だけを購入するコストの差を考えても経済的になる。
【発明を実施するための最良の形態】
【実地例】
【０００９】  以下、発明実施の形態を図１〜図２に基づいて説明する。
【００１０】  図においてＡは、上下を取り付ける為のスナップボタンやファスナーを施す箇所となる。上半身部におけるスナップボタン又はファスナーと、下半身部におけるスナップボタン又はファスナーを接合する事で、上下取外し可能な状態となっている。
【図面の簡単な説明】
【００１１】
【図１】  本発明の実地形態を示すベビー服の概観図
【図２】  本発明のベビー服の特徴を示す外観図
【図１】
2006198373.tif 000003
【図２】
2006198373.tif 000004
(57)【要約】【課題】お米研ぎは、お米と水を何度も手で洗浄するので煩雑な作業であり、研ぎ汁を流す時はお米を流さないように慎重な作業が必要である。これら一連の作業を簡単にできるように改善したい。また、冬場の冷水作業は手が冷たく荒れるので、手を水に触れないでお米研ぎをしたい。【解決手段】お米研ぎを容器内で攪拌洗浄する時どのような形状の器具が効果的にお米が洗浄できるかを検討し、Ｕ字形蛇行のクランクシャフトを発案した。クランクシャフトの回転操作は縦型と横型を試作検討し作業性の面から縦型を採用した。水は上部より注入し、研ぎ汁はお米流出防止網から容易に排出できるようにした。お米研ぎ器は炊飯容器などに直接取り付けて作業が出来るようにし、適用できる炊飯容器の寸法は１４ｃｍから２４ｃｍまで市販の大方の炊飯器に寸法合わせができるようにした。【選択図】    図１
2006198378.tif 000002
【特許請求の範囲】
【請求項１】
Ｕ字形の蛇行したシャフと拡散用のプレートを回転することにより水の乱流を発生させ、お米が満遍なく素早く洗浄できるクランクシャフト回転式のお米研ぎ器。
【請求項２】
お米の研ぎ汁を簡単に排出するために、お米が流出するとこを防止する半円形の網を備えることを特徴とする請求項１記載のお米研ぎ器。
【発明の詳細な説明】
【発明の詳細説明】
【技術分野】
【０００１】本発明は、炊飯器釜などの容器の中でＵ字形の蛇行したシャフトを回転し水の乱流を発生させ、素早いお米研ぎができる。
研ぎ汁はお米流出の防止網から排出し手を水に触れないで作業ができるので冷水による手荒れの防止が出来るようにしたものである。
【背景技術】
【０００２】従来は、炊飯器以外の別の容器でお米研ぎを行うので研いだお米を炊飯容器にお米を移す時、お米が元の容器に付着し、お米を移す無駄の作業が発生し作業効率に支障があった。【０００３】
【特許文献１】特開平０８−２３８１８７号公報（第１頁）
【発明が解決しようとする課題】
【０００４】お米研ぎ作業は、何度も水を交換し研ぎ汁を流す時はお米の流出防止に細心の注意を払うので煩雑な作業になる。
また、冬場の冷水によるお米研ぎ作業は手が荒れて苦痛である。
【課題を解決するための手段】
【０００５】Ｕ字形の蛇行したクランクシャフトを炊飯器釜などの容器の中でそのまま回転攪拌しながらお米を研ぎ作業をする、研ぎ汁はお米の流出防止網から簡単に排出し、手を水に触れないで作業をする。
【発明実施の形態】
【０００６】以下、本発明実施の形態について説明する。
（イ）．炊飯器釜の容器の大きさに合わせて、５のシャフト滑り止めを容器の深さに合わせ固定し、３の研ぎ汁排水お米流出防止網を７のお米容器寸法合せ溝に沿って目盛りに合わせ固定する。
この作業は容器サイズ選択のため最初の一回だけ行う。
（ロ）．２のシャフト支え梁を容器の上に据え置き、お米を入れた容器の上から注水し、４の操作ハンドルを手で回転させる。
研ぎ汁は、容器を傾け３のお米流出防止網を使って排出する。
【発明の効果】
【０００７】簡単なハンドル操作で素早いお米研ぎが可能。研ぎ汁はお米流出防止網から容易に排出できるので手荒れ防止でお米研ぎができる。
【図面の簡単な説明】
【図１】Ｕ字形蛇行クランクシャフトの形状を示した側面図である。
【図２】お米の流出防止網の形状を示した平面図である。
【符号の説明】
１  Ｕ字形蛇行クランクシャフト
２  シャフト支え梁
３  研ぎ汁排水お米流出防止網
４  操作ハンドル
５  シャフト滑り止め
６  お米拡散プレート
７  お米容器寸法合せ溝
【図１】
2006198378.tif 000003
【図２】
2006198378.tif 000004
(57)【要約】      （修正有）【課題】個人差による効果にばらつきが多くて効果が得られない場合が多かった波動理論を用いたトルマリン・チタン・ゲルマニウム・ＥＭＸなど波動系健康部材おいて、該部材の効果をより多くの人に得られるようにすることを課題とし、該部材が放出する波長を人体に有効な波長に調整する方法を提供する。【解決手段】波動系の健康部材もそれぞれ独自の波長の微弱な電磁波を放出しており、その波長を身体によい影響を与える波長に変換する方法として、波動系の健康部材の表面もしくは、波動系の健康部材を含む繊維、ゴム等に希望する波長の色を塗布または着色・染色する事により、放出する波動の波長を変換する。【選択図】なし【特許請求の範囲】
【請求項１】
波長調整を目的として、赤・橙・黄・アイボリー・金・銀の色をほどこし、人体にプラスとなる波長に調整した波動理論を用いた健康部材。
【発明の詳細な説明】
【発明の詳細な説明】
【技術分野】
【０００１】本発明は、トルマリン・チタン・ゲルマニュウム・プラチナＥＭＸなど波動理論に基づいた健康用部材を効果的に使用する為、各部材の出す波動の波長を調整する方法に関するものである。
【背景技術】
【０００２】打撲、捻挫、肩こり、筋肉痛等比較的軽い症状の治癒には冷シップ、温シップなどが頻繁に行われていた。また、運動機能の補助具として磁気サポーターやテーピングが頻繁に行われている。ところがこのような治癒および運動補助具は、症状により温・冷の使い分けをする必要があったり、締め付け具合や使用箇所等の専門知識を必要とするばかりでなく、使用部位がかさばったり、使用中に不快感を与えたり、取替え回数が多いなど不都合な点があった。これらを解決すべく考案されている波動理論を用いたトルマリン・チタン・ゲルマニウム・ＥＭＸなど波動系健康部材おいても、その効果は非常に有用であるにもかかわらず効果のある人の割合が１０人に１人ないし２人と個人差による効果にばらつきが多く被験者によっては、効果が得られない場合も多かった。
【発明が解決しようとする課題】
【０００３】本発明は、効果にバラツキが多かった波動理論に基づいて作られた健康部材をより多くの人に対して効果が得られる様にする事を課題とする。
【課題を解決するための手段】
【０００４】なぜ、波動系の健康部材が身体に良い効果をもたらすか検証した結果、自然界の太陽光に含まれる波長帯の電磁波が身体にさまざまな影響を与えている事がわかった。
例えば赤外線を受けると体温が上がったり、紫外線を受けるとメラニンが生成されたりする事は、広く知られている。
そして波動系の健康部材もそれぞれ独自の波長の微弱な電磁波を放出しており、その波長が、太陽光の波長帯に含まれていると言う結論を見出すに至った。
その中で特に体によい効果が出る波長を一人ひとり多数の人に求めた結果、個人差や症状、その時々、人によって良い影響の出る波長に、違いがあることが判り、波動系健康部材の出す波長がその人の人体に有効な波長に合致した場合のみ有効な効果が得られると言う結論に達した。
そこで、波動系の健康部材の放出する波動の波長を人体に有効な波長に調整する方法として、発見されたのが本発明である。
身体に良い影響を与える波長の電磁波を我々人間は、視覚で色として認識しており、波動系健康部材表面に彩色をほどこす事により、強弱があるにしろ、求める波長に調整する事が出来る事を発見した。
更に総ての人に有効な効果を出す為に、様々な色を多くの人に試していった結果、次の６色を使用する事でほぼ総ての人にとって有効な効果が得られる事がわかった。
赤・橙・黄・アイボリー・金・銀この内で、その時その人に効果があるのは１色であり、その他の色のものでは、著しい効果は得られない。
そこで、波動系健康部材表面に赤・橙・黄・アイボリー・金・銀の彩色をほどこし、これらの中からその人にとって最も有効なものを選んで使用する、もしくはこれらの色を混ぜず、部分々に各色を施し、総ての色を使用する事でほぼ総ての人に有効な波動系健康部材が実現する事がわかった。
また、ゴム・ポリエステル・ビニール・レーヨン等の繊維に粉末状の波動系素材を塗布または含有させたものに同様の色を染色または着色しても同様の効果が得られる事がわかった。
【発明を実施するための最良の形態】
【０００５】（イ）波動系健康部材を含んだ繊維に赤・橙・黄・アイボリー・金・銀の色を着色した繊維
（ロ）波動系健康部材を含んだゴムに赤・橙・黄・アイボリー・金・銀の色を着色したゴム
【発明の効果】
【０００６】１．  波動系の健康部材には、効果の大小はありますが、水分子の集団構造（クラスター）を細かくし、有害物質の分解を促す効果があり、抗酸化物質の生成作用があると言われ、人体に使用した場合、治癒能力を高め、運動能力の向上に役立つことが実証されています。
しかし、この効果が得られるのは１０人中に一人ないし二人程度と個人差によるばらつきが多く、効果があるにもかかわらず一般的ではなかった。
そのばらつきを１０人中８人から９人程度あるいは、総ての人に効果が出るように改善することが出来る。